【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
１つまたは複数のそれぞれの復号単位情報付加拡張情報（ＳＥＩ）メッセージから、アクセス単位内の１つまたは複数の復号単位の各復号単位の一意識別子を復号することと、ここにおいて、ある復号単位の識別子は、前記アクセス単位内のすべての他の復号単位の識別子と異なり、前記１つまたは複数の復号単位のそれぞれは、複数のネットワーク抽象化レイヤ（ＮＡＬ）単位を含み、前記１つまたは複数の復号単位のそれぞれの前記一意識別子は、復号順序における前記アクセス単位内のすべての復号単位のリストへの前記１つまたは複数の復号単位のそれぞれのインデックスである、
前記アクセス単位内の前記１つまたは複数の復号単位について、前記アクセス単位内の前記１つまたは複数の復号単位のそれぞれの前記一意識別子に基づいて、前記１つまたは複数の復号単位のうちのどれが前記複数のＮＡＬ単位のうちのどれを含むのかを判定することと、
少なくとも１つのピクチャを再構成するために、前記判定に基づいて、前記アクセス単位内の前記１つまたは複数の復号単位のそれぞれの前記複数のＮＡＬ単位を復号することと
を備える方法。
【請求項２】
前記一意識別子を復号することは、第１の復号単位の第１の復号単位情報ＳＥＩメッセージから第１の一意識別子を復号することと、第２の復号単位の第２の復号単位情報ＳＥＩメッセージから第２の一意識別子を復号することとを備え、
判定することは、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に含まれることを判定することを備える、
請求項１に記載の方法。
【請求項３】
前記一意識別子を復号することは、スライスＮＡＬ単位のスライスヘッダ内の前記一意識別子を復号することを備え、
判定することは、前記スライスヘッダ内の前記一意識別子に基づいて、前記１つまたは複数の復号単位のうちのどれが前記スライスＮＡＬ単位を含むのかを判定することを備える、
請求項１に記載の方法。
【請求項４】
復号単位の除去時間の情報を示す第１の復号単位情報ＳＥＩメッセージを復号することと、
前記復号単位に含まれる２つのＮＡＬ単位の間に配置された第２の復号単位情報ＳＥＩメッセージを復号することと、ここにおいて、前記第２の復号単位情報ＳＥＩメッセージは、前記第１の復号単位情報ＳＥＩメッセージのコピーである、
をさらに備える、請求項１に記載の方法。
【請求項５】
前記一意識別子を復号することは、
前記アクセス単位内の第１の復号単位の第１の識別子を復号することと、
前記アクセス単位内の第２の異なる復号単位の第２の異なる識別子を復号することと
を備え、前記第２の識別子の値より小さい前記第１の識別子の値に基づいて、前記第１の復号単位は、復号順序において前記第２の復号単位に先行する、
請求項１に記載の方法。
【請求項６】
前記アクセス単位内の前記復号単位ＳＥＩメッセージ以外のＳＥＩメッセージを復号することと、
前記アクセス単位内の前記ＳＥＩメッセージのコピーを復号することと
をさらに備える、請求項１に記載の方法。
【請求項７】
ビデオデータを符号化する方法であって、
アクセス単位内の１つまたは複数の復号単位の各復号単位の一意識別子を判定することと、ここにおいて、ある復号単位の識別子は、前記アクセス単位内のすべての他の復号単位の識別子と異なり、前記１つまたは複数の復号単位のそれぞれは、複数のネットワーク抽象化レイヤ（ＮＡＬ）単位を含み、前記１つまたは複数の復号単位のそれぞれの前記一意識別子は、復号順序における前記アクセス単位内のすべての復号単位のリストへの前記１つまたは複数の復号単位のそれぞれのインデックスである、
前記アクセス単位内の前記１つまたは複数の復号単位について、前記１つまたは複数の復号単位のうちのどれが前記複数のＮＡＬ単位のうちのどれを含むのかを判定することと、
前記１つまたは複数の復号単位のうちのどれが前記複数のＮＡＬ単位のうちのどれを含むのかを示すために、対応する１つまたは複数の復号単位の１つまたは複数のそれぞれの復号単位情報付加拡張情報（ＳＥＩ）メッセージ内の各一意識別子を出力のために生成することと
を備える方法。
【請求項８】
出力のために生成することは、第１の復号単位情報ＳＥＩメッセージ内に、第１の復号単位の第１の一意識別子を含めることを備え、前記方法は、
前記第１の復号単位ＳＥＩメッセージを出力した後に前記第１の復号単位に含まれるすべての前記複数のＮＡＬ単位を出力することと、
第２の復号単位情報ＳＥＩメッセージ内に、第２の復号単位の第２の一意識別子を含めることと、
前記第１の復号単位に含まれるすべての前記複数のＮＡＬ単位を出力した後に、前記第２の復号単位の前記第２の一意識別子を含む前記第２の復号単位情報ＳＥＩメッセージを出力することと
をさらに備える、請求項７に記載の方法。
【請求項９】
出力のために生成することは、対応する復号単位に含まれるスライスＮＡＬ単位の対応するスライスヘッダ内に各一意識別子を含めることを備える、請求項７に記載の方法。
【請求項１０】
復号単位の一部として、前記復号単位の除去時間の情報を示す第１の復号単位情報ＳＥＩメッセージを出力することと、
前記復号単位の一部として、第２の復号単位情報ＳＥＩメッセージを出力することと、ここにおいて、前記第２の復号単位情報ＳＥＩメッセージは、前記第１の復号単位情報ＳＥＩメッセージのコピーである、
をさらに備える、請求項７に記載の方法。
【請求項１１】
前記一意識別子を判定することは、
前記アクセス単位内の第１の復号単位の第１の識別子を判定することと、
前記アクセス単位内の第２の異なる復号単位の第２の異なる識別子を判定することと
を備え、前記第２の識別子の値より小さい前記第１の識別子の値に基づいて、前記第１の復号単位は、復号順序において前記第２の復号単位に先行する、
請求項７に記載の方法。
【請求項１２】
前記アクセス単位内に前記復号単位ＳＥＩメッセージ以外のＳＥＩメッセージを含めることと、
前記アクセス単位内に前記ＳＥＩメッセージのコピーを含めることと
をさらに備える、請求項７に記載の方法。
【請求項１３】
ビデオデータを復号するデバイスであって、
前記ビデオデータを格納するように構成されたメモリと、
前記ビデオデータの１つまたは複数のそれぞれの復号単位情報付加拡張情報（ＳＥＩ）メッセージから、前記ビデオデータのアクセス単位内の１つまたは複数の復号単位の各復号単位の一意識別子を復号することと、ここにおいて、ある復号単位の識別子は、前記アクセス単位内のすべての他の復号単位の識別子と異なり、前記１つまたは複数の復号単位のそれぞれは、複数のネットワーク抽象化レイヤ（ＮＡＬ）単位を含み、前記１つまたは複数の復号単位のそれぞれの前記一意識別子は、復号順序における前記アクセス単位内のすべての復号単位のリストへの前記１つまたは複数の復号単位のそれぞれのインデックスである、
前記アクセス単位内の前記１つまたは複数の復号単位について、前記アクセス単位内の前記１つまたは複数の復号単位のそれぞれの前記一意識別子に基づいて、前記１つまたは複数の復号単位のうちのどれが前記複数のＮＡＬ単位のうちのどれを含むのかを判定することと、
少なくとも１つのピクチャを再構成するために、前記判定に基づいて、前記アクセス単位内の前記１つまたは複数の復号単位のそれぞれの前記複数のＮＡＬ単位を復号することと
を行うように構成されたビデオ復号器と
を備える、デバイス。
【請求項１４】
前記一意識別子を復号するために、前記ビデオ復号器は、第１の復号単位の第１の復号単位情報ＳＥＩメッセージから第１の一意識別子を復号し、第２の復号単位の第２の復号単位情報ＳＥＩメッセージから第２の一意識別子を復号するように構成され、
判定するために、前記ビデオ復号器は、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に含まれることを判定するように構成される、
請求項１３に記載のデバイス。
【請求項１５】
前記一意識別子を復号するために、前記ビデオ復号器は、スライスＮＡＬ単位のスライスヘッダ内の前記一意識別子を復号するように構成され、
判定するために、前記ビデオ復号器は、前記スライスヘッダ内の前記一意識別子に基づいて、前記１つまたは複数の復号単位のうちのどれが前記スライスＮＡＬ単位を含むのかを判定するように構成される、
請求項１３に記載のデバイス。
【請求項１６】
前記ビデオ復号器は、
復号単位の除去時間の情報を示す第１の復号単位情報ＳＥＩメッセージを復号することと、
前記復号単位に含まれる２つのＮＡＬ単位の間に配置された第２の復号単位情報ＳＥＩメッセージを復号することと、ここにおいて、前記第２の復号単位情報ＳＥＩメッセージは、前記第１の復号単位情報ＳＥＩメッセージのコピーである、
を行うように構成される、請求項１３に記載のデバイス。
【請求項１７】
前記一意識別子を復号するために、前記ビデオ復号器は、
前記アクセス単位内の第１の復号単位の第１の識別子を復号することと、
前記アクセス単位内の第２の異なる復号単位の第２の異なる識別子を復号することと
を行うように構成され、前記第２の識別子の値より小さい前記第１の識別子の値に基づいて、前記第１の復号単位は、復号順序において前記第２の復号単位に先行する、
請求項１３に記載のデバイス。
【請求項１８】
前記ビデオ復号器は、
前記アクセス単位内の前記復号単位ＳＥＩメッセージ以外のＳＥＩメッセージを復号することと、
前記アクセス単位内の前記ＳＥＩメッセージのコピーを復号することと
を行うように構成される、請求項１３に記載のデバイス。
【請求項１９】
前記デバイスは、
マイクロプロセッサ、
集積回路、または
前記ビデオ復号器を含むワイヤレスデバイス
のうちの１つを備える、請求項１３に記載のデバイス。
【請求項２０】
ビデオデータを符号化するデバイスであって、
前記ビデオデータを格納するように構成されたメモリと、
前記ビデオデータのアクセス単位内の１つまたは複数の復号単位の各復号単位の一意識別子を判定し、ここにおいて、ある復号単位の識別子は、前記アクセス単位内のすべての他の復号単位の識別子と異なり、各復号単位は、前記ビデオデータの複数のネットワーク抽象化レイヤ（ＮＡＬ）単位を含み、前記１つまたは複数の復号単位のそれぞれの前記一意識別子は、復号順序における前記アクセス単位内のすべての復号単位のリストへの前記１つまたは複数の復号単位のそれぞれのインデックスである、
前記アクセス単位内の前記１つまたは複数の復号単位について、前記１つまたは複数の復号単位のうちのどれが前記複数のＮＡＬ単位のうちのどれを含むのかを判定することと、
前記１つまたは複数の復号単位のうちのどれが前記複数のＮＡＬ単位のうちのどれを含むのかを示すために、対応する１つまたは複数の復号単位の１つまたは複数のそれぞれの復号単位情報付加拡張情報（ＳＥＩ）メッセージ内の各一意識別子を出力のために生成することと
を行うように構成されたビデオ符号器と
を備える、デバイス。
【請求項２１】
出力のために生成するために、前記ビデオ符号器は、第１の復号単位情報ＳＥＩメッセージ内に、第１の復号単位の第１の一意識別子を含めるように構成され、
前記ビデオ符号器は、
前記第１の復号単位ＳＥＩメッセージを出力した後に前記第１の復号単位に含まれるすべての前記複数のＮＡＬ単位を出力することと、
第２の復号単位情報ＳＥＩメッセージ内に、第２の復号単位の第２の一意識別子を含めることと、
前記第１の復号単位に含まれるすべての前記複数のＮＡＬ単位を出力した後に、前記第２の復号単位の前記第２の一意識別子を含む前記第２の復号単位情報ＳＥＩメッセージを出力することと
を行うように構成される、請求項２０に記載のデバイス。
【請求項２２】
出力のために生成するために、前記ビデオ符号器は、対応する復号単位に含まれるスライスＮＡＬ単位の対応するスライスヘッダ内に各一意識別子を含めるように構成される、請求項２０に記載のデバイス。
【請求項２３】
前記ビデオ符号器は、
復号単位の一部として、前記復号単位の除去時間の情報を示す第１の復号単位情報ＳＥＩメッセージを出力することと、
前記復号単位の一部として、第２の復号単位情報ＳＥＩメッセージを出力することと、ここにおいて、前記第２の復号単位情報ＳＥＩメッセージは、前記第１の復号単位情報ＳＥＩメッセージのコピーである
を行うように構成される、請求項２０に記載のデバイス。
【請求項２４】
前記一意識別子を判定するために、前記ビデオ符号器は、
前記アクセス単位内の第１の復号単位の第１の識別子を判定することと、
前記アクセス単位内の第２の異なる復号単位の第２の異なる識別子を判定することと
を行うように構成され前記第２の識別子の値より小さい前記第１の識別子の値に基づいて、前記第１の復号単位は、復号順序において前記第２の復号単位に先行する、
請求項２０に記載のデバイス。
【請求項２５】
前記ビデオ符号器は、
前記アクセス単位内に前記復号単位ＳＥＩメッセージ以外のＳＥＩメッセージを含めることと、
前記アクセス単位内に前記ＳＥＩメッセージのコピーを含めることと
を行うように構成される、請求項２０に記載のデバイス。
【請求項２６】
実行された時に、ビデオデータを復号するデバイスの１つまたは複数のプロセッサに、
１つまたは複数のそれぞれの復号単位情報付加拡張情報（ＳＥＩ）メッセージから、アクセス単位内の前記１つまたは複数の復号単位のそれぞれの一意識別子を復号することと、ここにおいて、ある復号単位の識別子は、前記アクセス単位内のすべての他の復号単位の識別子と異なり、前記１つまたは複数の復号単位のそれぞれは、複数のネットワーク抽象化レイヤ（ＮＡＬ）単位を含み、前記１つまたは複数の復号単位のそれぞれの前記一意識別子は、復号順序における前記アクセス単位内のすべての復号単位のリストへの前記１つまたは複数の復号単位のそれぞれのインデックスである、
前記アクセス単位内の前記１つまたは複数の復号単位について、前記アクセス単位内の前記１つまたは複数の復号単位のそれぞれの前記一意識別子に基づいて、前記１つまたは複数の復号単位のうちのどれが前記複数のＮＡＬ単位のうちのどれを含むのかを判定することと、
少なくとも１つのピクチャを再構成するために、前記判定に基づいて、前記アクセス単位内の前記１つまたは複数の復号単位のそれぞれの前記複数のＮＡＬ単位を復号することと
を行わせる命令を格納した、非一時的コンピュータ可読記憶媒体。
【請求項２７】
前記１つまたは複数のプロセッサに前記一意識別子を復号させる前記命令は、前記１つまたは複数のプロセッサに、第１の復号単位の第１の復号単位情報ＳＥＩメッセージから第１の一意識別子を復号させ、第２の復号単位の第２の復号単位情報ＳＥＩメッセージから第２の一意識別子を復号させる命令を備え、
前記１つまたは複数のプロセッサに判定させる前記命令は、前記１つまたは複数のプロセッサに、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に含まれることを判定させる命令を備える
請求項２６に記載の非一時的コンピュータ可読記憶媒体。
【請求項２８】
前記１つまたは複数のプロセッサに、
前記アクセス単位内の前記復号単位ＳＥＩメッセージ以外のＳＥＩメッセージを復号することと、
前記アクセス単位内の前記ＳＥＩメッセージのコピーを復号することと
を行わせる命令をさらに備える、請求項２６に記載の非一時的コンピュータ可読記憶媒体。
【請求項２９】
ビデオデータを復号するデバイスであって、
１つまたは複数のそれぞれの復号単位情報付加拡張情報（ＳＥＩ）メッセージから、アクセス単位内の１つまたは複数の復号単位の各復号単位の一意識別子を復号するための手段と、ここにおいて、ある復号単位の識別子は、前記アクセス単位内のすべての他の復号単位の識別子と異なり、前記１つまたは複数の復号単位のそれぞれは、複数のネットワーク抽象化レイヤ（ＮＡＬ）単位を含み、前記１つまたは複数の復号単位のそれぞれの前記一意識別子は、復号順序における前記アクセス単位内のすべての復号単位のリストへの前記１つまたは複数の復号単位のそれぞれのインデックスである、
前記アクセス単位内の前記１つまたは複数の復号単位について、前記アクセス単位内の前記１つまたは複数の復号単位のそれぞれの前記一意識別子に基づいて、前記１つまたは複数の復号単位のうちのどれが前記複数のＮＡＬ単位のうちのどれを含むのかを判定するための手段と、
少なくとも１つのピクチャを再構成するために、前記判定に基づいて、前記アクセス単位内の前記１つまたは複数の復号単位のそれぞれの前記複数のＮＡＬ単位を復号するための手段と
を備えるデバイス。
【請求項３０】
前記一意識別子を復号するための前記手段は、第１の復号単位の第１の復号単位情報ＳＥＩメッセージから第１の一意識別子を復号するための手段と、第２の復号単位の第２の復号単位情報ＳＥＩメッセージから第２の一意識別子を復号するための手段とを備え、
前記判定するための手段は、前記第１の復号単位情報ＳＥＩメッセージを含む第１のＳＥＩ  ＮＡＬ単位と、前記第１のＳＥＩ  ＮＡＬ単位に続き、前記第２の復号単位情報ＳＥＩメッセージを含む第２のＳＥＩ  ＮＡＬ単位までのすべてのＮＡＬ単位とが、前記第１の復号単位に含まれることを判定するための手段を備える
請求項２９に記載のデバイス。
【請求項３１】
前記アクセス単位内の前記復号単位ＳＥＩメッセージ以外のＳＥＩメッセージを復号するための手段と、
前記アクセス単位内の前記ＳＥＩメッセージのコピーを復号するための手段と
をさらに備える、請求項２９に記載のデバイス。